Podtech/llm-jp-corpus-v4-ja_patent huggingface dataset:
(57)【要約】      （修正有）【課題】本発明はティーバッグの最外部に防水体に囲まれた吸収体を設けることで、使い終わって滴ったティーバッグの液体を吸収し他に液体が流れて汚れるのを防止するとともに、使い終わったティーバッグの置き場を提供し、机が濡れるのを防ぐティーバッグ外側吸収包装を提供する。【解決手段】ティーバッグ１の包装２の最外部をティーバッグから滴った液体を吸収し保持する防水体３に囲まれた吸水体４にすることで吸収した液体が他の物体に触れたり、吸収されるのを防ぐ。【選択図】図１
2011031985.tif 000002
【特許請求の範囲】
【請求項１】
ティーバッグの包装の最外部に防水体に囲まれた吸収体を設けることで、使い終わって滴ったティーバッグの液体を吸収し、他に液体が流れ、汚れるのを防止し、毛細管現象で吸出されることを防ぐと共に、使い終わったティーバッグの置き場を提供し、机が濡れるのを防ぐティーバッグ外側吸収包装。
【発明の詳細な説明】
【技術分野】
【０００１】  本発明はティーバッグの最外部に防水体に囲まれた吸収体を設けることで、使い終わって滴ったティーバッグの液体を吸収し、他に液体が流れ、汚れるのを防止し、毛細管現象で吸出されることを防ぐと共に、使い終わったティーバッグの置き場を提供し、机が濡れるのを防ぐティーバッグ外側吸収包装に関する。
【背景技術】
【０００２】  従来からティーバッグを置くためのコースターは存在したが、テーバッグとは別物であり、ティーバッグがあってもコースターがない場合は、皿に置くか、ティーバッグの上に置くしかなく、皿を汚したり、液体が垂れて周囲を汚す結果になっていた。（非特許文献１参照）
また、ティーバッグそのものに水分を受け止めるトレイを設け、吸収シートを備えるものがあるが、包装ではなく、ティーバッグそのものを加工しなければならず、作成の作業工程が難しくなるものがあった。（特許文献１）
また、ティーバッグに被膜可能なラベルを付加し、水切りし、水分を吸収するものがあったが熱湯に浸かったティーバッグを水切りするのはとても熱く、そして、ラベルを付加したものを包装しなければならないものがあった。（特許文献２）
また、湿潤した食品を包んで液体がこぼれないようにする食品包装材があったが、魚や肉などから出る汁がこぼれないようにするもので、トレイの中にシートとして敷いたり、魚を包み込んでしまうものがあった。（特許文献３）
【先行技術文献】
【特許文献】
【０００３】
【特許文献１】特開２００６−１４８４４号公報
【特許文献２】実開平７−１７７６１号公報
【特許文献３】特開２００５−２１２８８２号公報
【非特許文献】
【０００４】
【非特許文献１】ｈｔｔｐ：／／ｗｗｗ．ｌｏｖｅａｎｄｃａｒｅ．ｎｅｔ／ｃｏａｓｔｅｒ．ｈｔｍｌ
【発明の概要】
【発明が解決しようとする課題】
【０００５】  従来からティーバッグを置くための吸収シートは存在したが、テーバッグとは別物であり、ティーバッグがあっても、吸収シートがない場合があり、その場合、皿に置くか、ティーバッグの上に置くしかなかったが、どちらも液体を吸収せず、皿を汚したり、液体が垂れて周囲を汚す結果になっていた。また、ティーバッグに加工を施し、トレイを設けたり、ラベルを付加したものがあったが、作成工程が難しかった。しかし、本願発明はティーバッグの包装の最外部に防水体に囲まれた吸収体にすることで他の付加するものを必要とせず、使ったティーバッグを取り出した包装の上に置くだけで液体を吸収し、周囲を汚さずそのまま一緒に捨てる等の処理が簡単にできる。また、作成も既存の作成設備を使って作ることができる。
【課題を解決するための手段】
【０００６】  本発明はティーバッグ（図１の１）の包装（図１の２）の最外部をティーバッグから滴った液体を吸収し保持する、防水体（図１の３）に囲まれた吸水体（図１の４）にすることで吸収した液体が他の物体に触れたり、吸収されるのを防ぐことができるティーバッグ外側吸収包装であり、包装を変更するだけなので、既存の設備を使って実現することが容易である。
【発明の効果】
【０００７】  本発明はティーバッグ（図１の１）の包装（図１の２）の最外部をティーバッグから滴った液体を吸収し保持する、防水体（図１の３）に囲まれた吸水体（図１の４）にすることで、使い終わったティーバッグから液体が滴り、湿潤した部分がカップや机に接触することがなく汚れず、また、ティーバッグの包装が防水体に囲まれた吸収体であることから、湿潤した部分が他に触れず、吸収した液体がテーブルクロス等の毛細管現象により浸透して着色したり、机が液体によって濡れる事を防ぐ。
【図面の簡単な説明】
【０００８】
【図１】ティーバッグ外側吸収包装の構成図
【発明を実施するための形態】
【０００９】  ティーバッグの包装の部分を外側を防水体と吸水体に分けることで、液体が浸透し吸収する部分と、液体が浸透せず濡れない部分を作ることができ、吸水体の部分にティーバッグからの液体が吸収され、防水体の部分にまで浸透せず、液体を保持することができ、それにより、他のものに吸収されたり、他のものが濡れて着色してしまうことがない。
【具体例】
具体例として、日本茶や紅茶等のお茶類のティーバッグの包装、コーヒーのティーバッグの包装が挙げられるが、ティーバッグの包装を防水性と吸水性を持ったもので構成することであり、これらに限定するものではない。
【符号の説明】
【００１０】１  ティーバッグ
２  包装
３  防水体
４  吸水体
【図１】
2011031985.tif 000003
(57)【要約】      （修正有）【課題】洋式トイレで男性が小便をする時、尿流全体が便器に入りきれなかったり、跳ね返りが便器外に飛び出したりしないようする方法と補助具を提供する。【解決手段】洋式トイレで男性Ａが小便をする時に、便器の手前に膝下に置く物Ｂを置いて、膝立ち状態で使用する。膝下に置く物Ｂの形状は、台状の物、枕状の物、マットレス状の物を折り曲げた物、等が可能であり、適度なクッション性を得るために、スポンジ状の素材の使用、気体、液体の効果の使用、バネの使用等が利用される。【選択図】図１
2011031010.tif 000002
【特許請求の範囲】
【請求項１】
洋式トイレで、男性が膝立ち状態で小便をする為に、尿道口を便器の縁より上になる様に、股下の高さを補う為に、膝が接触の際、体重による圧迫痛みを防ぐ効果の有るクッション性を具備した、膝の下に置く物。
【発明の詳細な説明】
【技術分野】（発明の属する技術分野）【０００１】トイレ用品
【背景技術】
【０００２】
【先行技術文献】
【発明の概要】
【発明が解決しようとする課題】
【０００３】洋式トイレで男性が小便をする時、尿道口から便器まで、離れ過ぎているので、尿流全体が便器に入りきれなかったり、落差があり過ぎて、跳ね返りが便器外に飛び出し悪臭の原因になったり、非衛生を生じさせることがある。  図２
これを避けるため、女性の様に便座に腰をおろして、小便すると、男性の場合には尿路が長いため、便器の縁との間隔が狭く、この狭い中で手を添えて行うので、解放感が無く小便後の爽快感が少ない（残尿感の原因になり兼ねない）という問題がある。
又、この方法は、下着を下すので無駄な時間を費やすことになる。
日に何度も使用し、その都度気を使い、ストレスを生じさせている。
【課題を解決するための手段】
【０００４】洋式トイレで男性が小便をする時に、尿道口を便器に近付けるため、膝立ち状態で小便すれば、課題は解決する。  図１
しかし、一般の便器の高さは、膝立ちした人の股下よりも高いので、高さを補うため、厚みのある物を、膝の下に置かなけらば、尿道口が便器の縁より上に出ない。
又、膝の下に置く物は、ひざに接した時に体重による接触圧による、痛みを緩和できる様に、適度のクッション性が必要である。
この発明は、男性が膝立ち状態で小便出来る様に、股下の高さを補うため、膝の下に置く、クッション性を持った物である。
クッション性を持った物とは、図３の様な台状の物  図４の様な枕状の物  図５の様なマットレス状の物を折り曲げた物、等その他色々ある。
クッション性を得る方法にも、スポンジ状の素材の使用、気体、液体の効果の使用、バネの使用等、その他色々ある。
【発明の効果】
【０００５】膝立ち状態で小便することにより、便器外への飛散が無くなり、悪臭や非衛生の問題が無くなる。  また、放尿時、前方が広いので心おきなくでき、解放感が得られる。
【図面の簡単な説明】
【図１】本発明のクッション性のある物を膝下に置き、膝立ち状態にて小便している、概観図である。
【図２】現状に於ける、洋式トイレで男性が小便している、概観図である。
【図３】本発明の一例で、台状の物の斜視図である。
【図４】本発明の一例で、枕状の物の斜視図である。
【図５】本発明の一例で、マットレス状の物を折り曲げて使用した状態の、斜視図である。
【符号の説明】Ａ  男性
Ｂ  本発明の膝下に置く物
Ｃ  尿流
【図１】
2011031010.tif 000003
【図２】
2011031010.tif 000004
【図３】
2011031010.tif 000005
【図４】
2011031010.tif 000006
【図５】
2011031010.tif 000007
(57)【要約】      （修正有）【課題】従来までのグリップでは目視が確認しずらい、目視や着手（指）で容易に判断できるようにする。【解決手段】グリップ部分の着手（指）位置が確実に目視、もしくは指で確認できるようメモリを刻み込むことで、グリップ部分の着手（指）する位置がズレる事がなく、いつでも、同じ位置に着手（指）することが出来るため、打球の飛距離や方向の安定性を確保出来る。Ａ．グリップ面にｍｍ、ｃｍ単位もしくは、インチ単位でＢ．メモリや凹凸で刻み込みを入れるものとする。【選択図】図１
2011031002.tif 000002
【特許請求の範囲】
【請求項１】
Ａ．グリップ部分の着手（指）位置が変化する事で打球の方向性が不安定になることや、また打球スピードにも大きく変化することがある、
それを阻止するため、毎時、同位置に着手（指）することができるよう、ゴルフクラブのグリップ部分にＢ．メモリを図のように刻みこむ。
そこで毎時、Ａ．グリップ部分に刻み込まれたＢ．メモリにより、着手（指）位置が確実に目視、もしくは指肌で確認でき確実なグリップ位置を確保することが可能となる。
確実なグリップ位置を確保したことにより、安定した飛距離や方向性を望める。
【発明の詳細な説明】
【技術分野】
【０００１】本発明は、ゴルフクラブのグリップ部分にメモリを図のように刻みこむ。
【発明の概要】
【発明が解決しようとする課題】
【０００２】グリップ部分の着手（指）位置がズレる事を阻止し、毎時、同位置に着手（指）出来、打球の飛距離や方向安定性を確保する機能。
【課題を解決するための手段】
【０００３】そこでグリップ部分の着手（指）位置が確実に目視、もしくは指で確認できるようメモリを刻み込む。
【発明の効果】
【０００４】打球の飛距離や方向安定性を確保する機能。
【図面の簡単な説明】
【０００５】
【図１】本発明の実施形態を示すグリップ部分の表面図
【発明を実施するための形態】
【０００６】Ａ．グリップ面にｍｍ、ｃｍ単位もしくはインチ単位で、Ｂ．メモリや凹凸で刻み込みを入れるものとする。
【符号の説明】
【０００７】Ａ．  グリップ
Ｂ．  メモリ
【図１】
2011031002.tif 000003
(57)【要約】【課題】  効率よく集中力向上を図れるという特徴を有する呼吸法を実行するために適した呼吸法トレーニング装置を提供する。【解決手段】  本発明は、呼吸法の呼吸リズムを促すための音声ファイルと、音声ファイルを再生する呼吸法トレーニング装置本体から成る。音声ファイルにおいては、呼吸法に必要な「息を吸う」「息を止める」「息を吐く」という３つの動作を定められたタイミングで促すガイド音声を含み、複数の異なるタイミングの音声ファイルを装置内に格納することを特徴とする。また呼吸動作を促すための音声ファイルは、呼吸法トレーニング装置内から音声ファイルをコピーされた携帯用メディアプレイヤーなどの記録媒体ないし呼吸法トレーニング装置本体から、任意に選択された呼吸法のリズムに準拠する音声ファイルが出力される。【選択図】図１
2011031008.tif 000002
【特許請求の範囲】
【請求項１】
呼吸法における「吸う」「溜める（止める）」「吐く」という呼吸動作に必要な時間とタイミングを取るためのガイド音声を含む音声ファイルを繰り返し再生するトレーニング方法と、前記トレーニング方法で異なる呼吸法リズムを選択できるトレーニング方法と、前記トレーニング方法で異なる呼吸法リズムを含む音声ファイルを装置内に格納する保存手段と、前記保存手段の画面上で任意に音声ファイルを選択できる選択手段と、前記選択手段で選択された呼吸法リズムを含む音声ファイルを携帯用メディアプレイヤーにコピーして呼吸法トレーニングを実行するための外部出力手段を有する、呼吸法を効率よく実行するための呼吸法トレーニング装置。
【請求項２】
呼吸法リズムを促すためのガイド音声を含む音声ファイルは、電子楽器ないし生楽器ないし人間の肉声ないし音声合成によって作成され、異なる呼吸法のリズムに準拠すべく複数のガイド音声再生タイミングが異なる音声ファイルを有する呼吸法トレーニング装置。
【発明の詳細な説明】
【技術分野】
【０００１】  本発明は、集中力の向上、リラクゼーションなどに有効な呼吸法を実行するための呼吸法トレーニング装置に関するものである。
【背景技術】
【０００２】  従来の呼吸法に関する発明では、高濃度の酸素を吸入させながら画像と音声を再生する装置（コンピュータ）を用いて呼吸のリズムをコントロールする装置がある（特許文献１参照）。また、呼吸リズムをコントロールするための装置としてコンピュータを用い、息を吸い込む期間は音の高さが全体的に上がっていき、息を止める期間は音の高さがほぼ一定になり、息を吐き出す期間は音の高さが下がっていくメロディからなる音楽を出力しているものもある（特許文献２参照）。さらに、ストレスに対処することを目的とし、１分間６０拍、４分の４拍子のゆるやかな音楽を聴かせ、その音楽に合わせて８拍で息を吐き出し、８拍で吸う腹式呼吸法を併用し、ゆるやかな伸縮運動を行うことで、筋肉を交互に緊張、弛緩させる方法などがある（特許文献３参照）。【０００３】
【特許文献１】  特願２０００−３４５８１号公報
【特許文献２】  特願２００４−１１７２５３号公報
【特許文献３】  特願平６−５９７２３号公報
【発明の開示】
【発明が解決しようとする課題】
【０００４】  しかし前記特許文献１と特許文献２では、コンピュータを核とする装置を前にすることから、その装置が設営されている場所以外では呼吸リズムの制御を行えないという問題があった。呼吸法による効果を必要とするときに手軽に実行できないことから、非常に限定的な条件下でしか効果を得ることが出来なかった。また、前記特許文献３では呼吸リズムが一定であるため、個人差に対応できないという問題があった。例えば入門用として呼吸しやすいリズムから始め、習熟に従って難易度を上げていくといった方法がとれなかった。【０００５】  そこで本発明の目的は、集中力の向上やリラクゼーションなどに有効な呼吸法を、効率よく、かつ個人の状態に応じて呼吸法リズムを選択して実行するための呼吸法トレーニング装置を提供することにある。
【課題を解決するための手段】
【０００６】  上記目的を達成するため、本発明は呼吸法を実践するために必要な「息を吸う」「息を止める」「息を吐く」という３つの動作を促すためのガイド音声を含む音声ファイルが出力されることを特徴とする。
【発明の効果】
【０００７】  本発明によれば、呼吸法トレーニング装置としてコンピュータ以外にも、音声ファイル再生のために一般的に普及した携帯型メディアプレイヤーやＣＤプレイヤーを介すことで、呼吸法トレーニングを必要とするときに場所を問わず手軽に実行できる。また、様々な呼吸法リズムに応じた音声ファイルを装置内に格納することで、トレーニングを実践する個人の状態や習熟度により最も適したリズムを選択できる。
【発明を実施するための最良の形態】
【０００８】  以下、本発明に関する図面に基づいて説明する。【０００９】  図１に示すように、携帯型メディアプレイヤーないしＣＤプレイヤーを用いて再生する音声ファイルは「呼吸動作を促すためのアナウンス」を含む。これらのアナウンス（ガイド音声）の再生タイミングは理想的ないくつかの呼吸法のリズムに準拠し、ガイド音声の再生タイミングに応じて呼吸を行うことで効果的に呼吸法の習得が可能となる。音声データは呼吸法リズムに応じた複数のファイルが呼吸法トレーニング装置内に格納され、呼吸法トレーニング装置の選択画面上で任意に選択された呼吸法リズムに応じた音声ファイルが出力される。音声ファイルとそれに含まれるガイド音声は電子楽器ないし生楽器ないし人間の肉声ないし音声合成によって作成され、音声ファイル再生中に選択された呼吸法リズムに準拠したタイミングで再生されるガイド音声は、「息を吸う」「息を止める」「息を吐く」という３つの動作を１サイクルとして繰り返し再生することで、選択した呼吸法のリズムを習得するべくトレーニングする事が可能となる。
【図面の簡単な説明】
【００１０】
【図１】  「息を吸う」「息を止める」「息を吐く」という３つの動作を促すための音声ファイルが呼吸法リズム別に複数装置内に格納され、それを携帯用メディアプレイヤーなどの外部記録媒体と接続することでの概念図
【符号の説明】
【００１１】  １  息を吸うために必要な時間を表すイメージ
２  息を止めるために必要な時間を表すイメージ
３  息を吐くために必要な時間を表すイメージ
４  息を吸うためのタイミングを促すガイド音声のイメージ
５  息を止めるためのタイミングを促すガイド音声のイメージ
６  息を吐くためのタイミングを促すガイド音声のイメージ
７  前記１〜３を１サイクルとして繰り返し再生する音声ファイル
８  前記７とは異なる呼吸法リズムを持つ音声ファイル
９  前記７、８とは異なるサ呼吸法リズムを持つ音声ファイル
１０  前記７、８，９ほか複数の音声ファイルを格納するための保存手段（ＣＤディスクないしコンピュータ）
１１  前記１０のコンピュータに接続され、音声ファイルを携帯するためのメディアプレーヤ
【図１】
2011031008.tif 000003
(57)【要約】      （修正有）【課題】痔、脱肛が起きた時に、肛門を押し込む為に、痔、脱肛健康座椅子を、提供する【解決手段】座椅子１の凸面の座る所２に固い物で、半円形の丸みを、持たせ、暖めて、肛門を押し込み、痔、脱肛を健康にする痔、脱肛健康座椅子を、特徴とする。【選択図】図１
2011031007.tif 000002
【特許請求の範囲】
【請求項１】
座椅子の座る所を、固く半円形の凸面にして、肛門を押し込み、暖めるようにした。
以上の構成による  痔、脱肛健康座椅子
【発明の詳細な説明】
【技術分野】
【０００１】  この発明は、座椅子の座る所に固い物で、半円形の丸みを、持たせ暖めて、肛門を押し込めるものである。
【背景技術】
【０００２】  従来、痔、脱肛の薬はあるが、このような器具はない。
【発明の開示】
【発明が解決しようとする課題】
【０００３】これは、次のような欠点があった。
薬では、なかなか、痔、脱肛は、すぐに、おさまらない。
本発明は、以上のような欠点をなくすために、なされたものである。
【課題を解決するための手段】
【０００４】  座椅子の座る所を、丸く固く半円形の、凸面にして、そこを温めて、肛門を押し込める。
本発明は、以上の構成よりなる、痔、脱肛健康座椅子である。
【発明の効果】
【０００５】  痔、脱肛の人は、この痔、脱肛健康座椅子に座るだけで、薬もいらずに、痔、脱肛を、押し込むことが、できる。
【発明を実施するための最良の形態】
【０００６】以下、本発明を実施するための最良の形態について説明する。
座椅子の座る所を、固く半円形の、凸面にして、そこを温めて座り肛門を押し込み、痔、脱肛を健康にする。
本発明は、以上のような構造である。
これを使用するときは、座椅子の凸面の部分を、暖めて、座椅子に座ればよい。
【図面の簡単な説明】
【０００７】
【図１】  本発明の側面図である。
【図２】  本発明の平面図である。
【符号の説明】
【０００８】  １  痔、脱肛健康座椅子
２  温めて、座る所
【図１】
2011031007.tif 000003
【図２】
2011031007.tif 000004
(57)【要約】      （修正有）【課題】従来の手持ち型のマッサージ器具は持ち手部分が作用点より施術者側にあるものがほとんどであり、器具を押す形となり指圧を行おうとする者の手元が安定せず長時間の指圧やマッサージが困難であった。また被施術者の患部に当たる作用点も点状のものがほとんどで、器具が安定せず施術者が長時間マッサージを行うことが困難であった。【解決手段】持ち手１を車のシフトレバーの様な形状にし、マッサージの方向を自在にコントロールできる形状とした。力点３を手のひらに合った浅いおう面上にして楽に力を入れるような形状とした。作用点２を線状にした事により施術時マッサージ器具が安定し、またわずかな力で十分な効果が得られる。形状を持ち手１、作用点２、力点３の順に配して器具を自在に楽に使用する事が出来るような形状にした。また従来の指圧も器具内に鋭角の部分を設ける事により、器具形状を利用して楽に施術できるものとした。【選択図】図４
2011031003.tif 000002
【特許請求の範囲】
【請求項１】
マッサージを行おうとする者の手の平に密着し右手・左手を選ばず、楽に力を入れることが出来、長時間のマッサージ施術を無理なく行う事が出来る様にした持ち手１の下部に手のひらを当てる浅く凹状の力点３を有し、施術する場合患部に当てる作用点２を線状にしたマッサージ器具。
【請求項２】
持ち手１が作用点２の前に位置し、力を入れる力点３をその後ろに位置させた請求項１に記載のマッサージ器具。
【請求項３】
力点３の後部に指圧用の作用点４を有し、持ち手の持ち方を替えることにより楽に指圧が出来る様にした請求項１に記載のマッサージ器具。
【請求項４】
持ち手１の下部にストッパーの役割をする肩５を設けた請求項１に記載のマッサージ器具。
【発明の詳細な説明】
【技術分野】
【０００１】  本発明はマッサージを行おうとする者の手の平に密着し右手・左手を選ばず、楽に力を入れることが出来、長時間のマッサージ施術を無理なく行う事が出来る様にしたマッサージ器具に関する。
【背景技術】
【０００２】  従来の手持ち型のマッサージ器具は持ち手部分から伸びた突起により指圧を行うもの、持ち手に指を入れて力を入れる物など、持ち手が作用点より施術者側にあるものがほとんどであった。また作用点も点が主で、線状の作用点を有するものは無かった。
【特許文献１】特表２００７−５３７７７４
【特許文献２】実用新案登録第３１２９２６７号
【特許文献３】実用新案登録第３０６０８１７号
【特許文献４】公開実用新案公報昭６１−１９１０４４
【発明の概要】
【発明が解決しようとする課題】
【０００３】  従来の手持ち型のマッサージ器具は持ち手部分が作用点より施術者側にあるものがほとんどであり、施術を行う時には器具を押す形となり指圧を行おうとする者の手元が安定せず長時間の指圧やマッサージが困難であった。また被施術者の患部に当たる作用点も点状のものがほとんどで、そのために器具が安定せず施術者が長時間マッサージを行うことが困難であった。
【課題を解決するための手段】
【０００４】  姿図の図１、図２、図５の様に、持ち手１の下部に手のひらを当てる浅く凹状の力点３を有し、施術する場合患部に当てる作用点２を線状にし、持ち手１、作用点２、凹状の力点３の順に配した形状とした。持ち手１によりマッサージを行う方向が自在となり安定した。【０００５】  図４の様に、マッサージを行おうとする者の手の平が器具の凹面部分である３の力点に密着し、楽に力を入れることが出来る形状にした。【０００６】  マッサージを受ける人に器具が接する作用点２も従来の器具では点であったものを線状にした事から安定し、楽にマッサージ施術を行える。【０００７】  図５の向きの器具を図６の様に、同一器具を持ち方を替えて指圧点４で指圧する事も出来、ツボ指圧も楽に行える形状とした。【０００８】  手のひらに馴染む大きさとした。【０００９】  器具に肩５を設けることにより手のひらの滑り止めが出来、持ち手１の握りとともに器具の取り扱いが簡易で手に馴染むことにより、長時間のマッサージも可能となった。【００１０】  器具全体を滑りの良い仕上げとし、マッサージ時には抵抗無く滑るようにマッサージが出来る物とした。また力点３を頬に当ててリフトアップを行う事により美容マッサージにも簡単で効果のある形状とした。
【発明の効果】
【００１１】  図４の様にマッサージを行おうとする者の手の平に密着し右手・左手を選ばず、楽に力を入れることが出来、また持ち手１によりマッサージする方向を自在にコントロール出来、長時間のマッサージ施術を無理なく行う事が出来る。またオイルマッサージを行う場合など器具を持つ手が滑るなどの欠点を補うことが出来る。【００１２】  マッサージを受ける人に器具が接する作用点２も従来の器具では点であったものを線状にした事から器具が安定し、楽に施術を行え、マッサージ効果も減衰しない。【００１３】  図６の様に同一器具を持ち方を替えて、指圧点４でツボ指圧する事も出来、ツボ指圧も楽に着実に行える。【００１４】  手のひらに馴染む大きさと柔和な形状が視覚的にも安らぎを与える。ストレス解消や指圧を業とする者にとっては単純な形状で複雑な機構も無く至極便利な器具である。故障も考えられない。
【図面の簡単な説明】
【００１５】
【図１】  本発明器具の全体姿図
【図２】  器具の横面姿図
【図３】  標準的な器具の握り方姿図
【図４】  標準的な器具の握り方横面姿図
【図５】  指圧時の全体姿図
【図６】  指圧時の器具の握り方姿図
【発明を実施するための形態】
【００１６】  有機的な形状なのでこれまで存在しなかったが、単純さを生かして安価に生産が出来る形状について図１〜６を基に説明する。
【００１７】  図においては、１は持ち手部分で、あたかも自動車のシフトレバーの様な形状でマッサージの方向を自在にコントロールするためのものである。作用点２は被施術者に接する部分で柔らかな湾曲を持つ線状である。力点３は手のひらで力を入れる部分で浅く凹面になっており、作用点２に楽に力を入れることが出来る。
【００１８】  指圧点４は唯一鋭角になっており、点に集中した指圧を行う為のもので、図６の様に持ち楽に施術できる。
【００１９】  肩５は器具を持つ時に手が滑らぬようにストッパーの役目をする部分である。
【産業上の利用可能性】
【００２０】  ストレス社会の今、簡単にマッサージ・指圧等を行う業態は増加傾向にあるが、使用方法が単純でしかも長時間の使用が可能なマッサージ補助器具は至極有効である。単純な形状の為安価に生産が出来、簡単にマッサージ効果を得られるこの器具の特徴を生かして、健康器具の生産、国民の健康維持・自己管理、ストレス解消業の普及に貢献大である。
【符号の説明】  １  持ち手
２  作用点
３  力点
４  指圧点
５  肩
【図１】
2011031003.tif 000003
【図２】
2011031003.tif 000004
【図３】
2011031003.tif 000005
【図４】
2011031003.tif 000006
【図５】
2011031003.tif 000007
【図６】
2011031003.tif 000008
(57)【要約】【課題】従来までのスイングウェイトの固定方法（差込み、ビス止めのみ）だと何度も使用していると次第に緩んだり、抜けたりして紛失や怪我の恐れがあり危険である。【解決手段】そこでスイングウェイトの固定方法としてスプリングワッシャーを使用し緩み防止機能を作用させる事により確実かつ安全に固定でき、長時間の使用でも脱落を防止する事が出来る。【選択図】図１
2011031001.tif 000002
【特許請求の範囲】
【請求項１】
（構成）
Ｂ．グリップ部、Ｃ．スプリングワッシャー、Ａ．スイングウェイト部、Ｄ．固定ボルト。
Ｂ．グリップ部、Ａ．スイングウェイト部間にはＣ．スプリングワッシャーを使用し、ねじ緩み防止機能を作用させプレー中やスイング中に脱落することを防止することを機能する。
Ｂ．グリップ部は、Ａ．スイングウェイト部がねじ式もしくはハメコミ式にて装着固定できるようにする。
Ａ．スイングウェイト部はＢ．グリップ部にねじ緩み防止機能を用いて装着固定できるものとする。
（効果）プレー中やスイング中の、Ａ．スイングウェイト脱落防止を確約するため確実にねじ止め機能の作用を働かすためＢ．グリップ部、スイングウェイト部の２点間にＣ．スプリングワッシャーを使用することにより、Ｃ．スプリングワッシャーの緩み防止機能が作用しプレー中やスイング中にウエイトを脱落することを阻止し、安定かつ最適なスイングを可能とする。
ゴルフクラブグリップエンド部に装着するウエイト変換型グリップを装着することによりプレーヤーは、自身の腕力、運動能力に適したバランスウエイトを自由に交換装着できる。
クラブの後ろに付けられた重りは、これにより重心が後ろに下がり、ボールが上がりやすくなる効能もありクラブと自身のスイングとの最適なバランス点を模索できることができ、グリップエンドに取り付けられたウエイトの重量バランス調整により方向性の安定化、スイングスピードの増力、ならびに遠心力を活用することができる装置。
【発明の詳細な説明】
【技術分野】
【０００１】本発明は、ゴルフクラブのグリップにスイングウェイトを安全かつ確実に固定する機能に関する。
【発明の概要】
【発明が解決しようとする課題】
【０００２】従来までのスイングウェイトの固定方法（差込み、ビス止めのみ）だと何度も使用していると次第に緩んだり、抜けたりして紛失や怪我の恐れがあり危険である。
【課題を解決するための手段】
【０００３】そこでスイングウェイトの固定方法としてスプリングワッシャーを使用し緩み防止機能を作用させ、確実かつ安全に固定する。長時間の使用でも脱落を防止する事が出来る。
【発明の効果】
【０００４】緩み防止効果のあるスプリングワッシャーを使用する事により、長時間の使用でも緩み・脱落を防止し、安全な商品を提供できる。
【図面の簡単な説明】
【０００５】
【図１】本発明の実施形態を示すグリップ部分の断面図
【発明を実施するための形態】
【０００６】Ｂ．グリップ上側にナット（凹ネジ）を付け、そこにＡ．スイングウェイトをＤ．固定ボルト（凸ネジ）で固定する。その際ボルトとナットの間にＣ．スプリングワッシャーを挟むことによって、ボルトの緩みを防ぐものとする。
【符号の説明】
【０００７】Ａ．  スイングウェイト
Ｂ．  グリップ
Ｃ．  スプリングワッシャー
Ｄ．  固定ボルト
【図１】
2011031001.tif 000003
(57)【要約】【課題】    近隣にある複数のツボに対し、体格差に関わらず、ほぼ正確なツボの位置に同じ程度の押圧刺激を加える道具を提供する。【解決手段】    弾力性のある素材（１）に、ツボを刺激するための突起物（２）を設け、素材の裏に付けた目印（３）を少し引っ張って体表上の目標物に正確に当たるようにしてツボを含む体の一部分を円周状に巻き、マジックテープのような固定具で固定するツボ押圧具を特徴とする。【選択図】図１
2011031013.tif 000002
【特許請求の範囲】
【請求項１】
弾力性のある素材（１）に、定められた距離で複数の突起物（２）を設け、裏側に体表の目標物に当たるように目印（３）を付け、円周状に巻いて固定するための固定具（４）を設けたツボ押圧具。
【発明の詳細な説明】
【技術分野】
【０００１】  この発明は、弾力性のある素材に複数の突起物を設けたツボの押圧具に関するものである。
【背景技術】
【０００２】  従来、押圧刺激に用いる鍼は、施術者が手に持って、ひとつひとつのツボに対して行っていた。また、突起物が付いたものとしては、バンソウコウ様のものに付けて貼ったり、コルセットのようなものに付けて巻いたりしていた。
【発明の開示】
【発明が解決しようとする課題】
【０００３】  これらは、次のような欠点があった。
（イ）鍼の場合は、施術者が必要なため、費用がかかる。
（ロ）鍼の場合は、施術者がツボをひとつずつ刺激していくので、時間がかかる。また、長時間にわたるツボ刺激では施術者が疲れやすい。
（ハ）バンソウコウ様のものでは、貼る場所が分りずらく、押圧する力が少ない。
（ニ）コルセットのようなものでは、体格が違うと突起物がツボに合わない。
本発明は以上のような欠点をなくすためになされたものである。
【課題を解決するための手段】
【０００４】  弾力性のある素材（１）にツボを刺激する突起物（２）を設け、素材の裏につけた目印（３）を少し引っ張って体表上の目標に当たるようにしてツボを含む体の一部分を円周状に巻き、マジックテープのような固定具で固定する。
本発明は以上の組み合わせよりなるツボの押圧刺激具である。
【発明の効果】
【０００５】  （イ）ひとりで簡単に装着でき、複数のツボ刺激ができる。
（ロ）弾力性のある素材を巻けば、円周状に同等の押圧程度で締めるので、どのツボも同等の押圧刺激を得られる。
（ハ）近隣にあるツボは、中国医学による骨度分寸法により、体のある部分の長さを一定割合で分割して位置を定めてあるので、弾力性のある素材に同じ一定割合で突起物を付け、素材に付けた二つ以上の目印が、体表の目標物と合うように引っ張って巻けば、体の肥痩にかかわらず、ツボに正しく当たって押圧することができる。
【発明を実施するための最良の形態】
【０００６】  以下、本発明を実施するための最良の形態について説明する。
弾力性のある素材（１）は、きつく締め付けすぎず、また柔らかすぎず、適度な弾力のあるものを用いる。突起物（２）は、ある程度の硬度を持ち、ツボを押圧するのに適した大きさのものを用いる。また、突起物を付けた素材の裏側に、体表の目標となる部分に当たる目印（３）を複数個付けておく。また、末端にマジックテープ等の固定具（４）を付ける。
骨度分寸法により定められた、体表の目標物からの距離や、ツボとツボとの距離の割合に従って、実際の距離よりやや短めに、突起物（２）を素材（１）に固定し、目印（３）が体表の目標に当たるように引っ張って固定具（４）で留める。
本発明は以上のような構造である。
これを使用するときは、巻いたまま所定の時間を過ごすだけで、誰でも正確に複数のツボの押圧効果が得られる。
【図面の簡単な説明】
【０００７】
【図１】  本発明の実行図である。目印として、鼻梁線と瞳孔正中線を設けている。
【図２】  本発明の正面図である。
【図３】  本発明の裏面図である。
【符号の説明】
【０００８】    １  弾力性のある素材
２  突起物
３  目印
４  固定具
【図１】
2011031013.tif 000003
【図２】
2011031013.tif 000004
【図３】
2011031013.tif 000005
(57)【要約】      （修正有）【課題】掃除をしにくい便器の内側上部を掃除しやすい、便器の内側掃除器具を提供する。【解決手段】便器の内側掃除器具は、便器上部の縁部をスポンジ部とブラシ部ではさみ込む形状にし、スポンジ部とブラシ部とをバネで連結した。【選択図】図１
2011031017.tif 000002
【特許請求の範囲】
【請求項１】
バネを備えブラシとスポンジではさむ便器の内側掃除器具
【発明の詳細な説明】
【技術分野】
【０００１】便器の掃除しにくい部分の掃除器に関する。
【図１】
2011031017.tif 000003
【手続補正書】
【提出日】平成22年2月9日(2010.2.9)
【手続補正２】
【補正対象書類名】明細書
【補正対象項目名】全文
【補正方法】変更
【補正の内容】
【発明の詳細な説明】
【技術分野】
【０００１】便器の掃除しにくい部分の掃除器に関する。
【図面の簡単な説明】
【０００２】
【図１】プラスティック製器具の上下にスプリングを入れた可動式で下部内側にブラシを付け手ではさみ使用する。
(57)【要約】【課題】  空気調和機は仕切られた空間等での設定温度を保つ空調設備機器で、一般にその機内部のフィンチューブ式熱交換器に空気を通過接触させ設定温度まで到達させるが、年々熱交換率の向上とコンパクト化によりフィンピッチは狭くなり、空気中の汚れの累積や細菌が発生し易くなっている、それ故に、清浄化対策として空気清浄機能や掃除機能を装備するなど伴う製品機材が付加され、コスト高となりメンテナンス口数も増えてきている。【解決手段】この解決手段として、空気調和機の通風入口に光触媒フィルタと紫外線ランプを配設し、熱交換器、送風ファン、ドレンパン、とこれら機材を囲むケーシング内面部分に光触媒を有する物質からなる薄膜を形成させることにより、空気調和機内のスケールの累積軽減や細菌類の繁殖の抑制に貢献し、更には清浄化の為の機材部品数が簡素化し、メンテナンス費用なども軽減される。【選択図】図2
2011153728.tif 000002
【特許請求の範囲】
【請求項１】
光触媒を有する物質からなる薄膜が、空気と水が接触する空気調和機内部の機材並びにケーシング内面とドレンパンの表面に形成され、その薄膜に紫外線ランプを照射するために配設することを特徴とする空気調和機。
【請求項２】
請求項１の適用範囲の中において、紫外線ランプを配設する位置が限定されるので、照射可能な部位には二酸化チタン(Tio2)を、紫外線ランプの照射が当たりにくい部位には銀系酸化チタンを施した空気調和機。
【発明の詳細な説明】
【技術分野】
【０００１】
この発明は、空気調和機内における通過空気と結露水に起因する有害物質の清浄化に関する。
【背景技術】
【０００２】
空気調和機の運転時には当該機内に空気が通過循環し、その空気中の汚れは内部機材や結露水に附着し細菌類などを発生するので、その繁殖を抑制し清浄化を図る。
【０００３】
この改善策として、従来の空気調和機内の防塵、防菌目的の清浄化対策としてはフィルタの清掃装置や電圧発生の空気清浄機装置などの製品機材を組込んでの対策がなされておりその例を先行技術文献、特許文献１と特許文献２と特許文献3に示す。
【先行技術文献】
【特許文献】
【０００４】
【特許文献１】特開2009-210227号公報
【特許文献２】特開2007-247960号公報
【特許文献３】特開2007-216142号公報
【発明の概要】
【発明が解決しようとする課題】
【０００５】
従来の空気調和機内部の防塵、防菌の清浄化対策は、空気吸込み入口面のフィルタ清浄装置や電圧発生による空気清浄機能装置の取付け等、その例が特許文献１と特許文献2と特許文献3に提案されている、しかしながら、以上の技術によれば、フィルタの清掃装置に重きをおき、新たな製品機材が内部に追加配設され部品点数が多数増加することになり、追加配設の装置そのものに蓄積する汚れの除去や、空気調和機内部の機材である熱交換器、ファン、ケーシング内側、ドレンパン、の各部位に附着累積する汚れの除去は不充分でありメンテナンス内容も増加し複雑化してくる。そこでこの発明は、空気調和機内の通過空気と結露水に起因し発生する有害物質や細菌の繁殖を抑制する清浄化装置を、機材部品類は最少にした内容によって図る。
【課題を解決するための手段】
【０００６】
以上の課題を解決する為に、この発明は、空気調和機内の空気通過時に空気と接触する機材である空気吸込みグリル、吹出しグリル、熱交換器に光触媒である二酸化チタン(Tio2)をコーティングし、空気吸込み口には光触媒フィルタを設け、紫外線ランプを熱交換器と光触媒フィルタの双方に照射可能な位置に配設し、光が照射しにくい部位のファン、ケーシング内側面、結露水滴を受けるドレンパン、には銀系酸化チタンのコーティングすることを特徴とする空気調和機。
【発明の効果】
【０００７】
この発明によれば空気調和機内において.通過空気と接触する機材構成部品の表面に二酸化チタン(Tio2)又は銀系酸化チタンがコーティングされているので、配設された紫外線ランプの照射による光触媒機能が作用し、上記該機材に通過空気と同時に附着する残留結露水や汚れは優れた親水性にて滴下し、スケールなど附着の含有有機物は分解力により細菌類の繁殖は滅菌抑制され、清浄化された衛生的な空気調和機内となるので熱交換効率の劣化は抑えられ、空気清浄機装置や電圧発生装置などの機材部品は必要とせず、より簡素化したものとなり、メンテナンス回数の減少や追加機材の削減など省コスト効果が図れる。
【図面の簡単な説明】
【０００８】
【図１】図１はこの発明の一実施形態を示すタイプ別形状図
【図２】図２は空気調和機の床置き型の内部構造図
【図３】図３は光触媒フィルタと紫外線ランプの斜形図
【発明を実施するための形態】
【０００９】
この発明の一実施形態を図１、図２、図3に示す
空気調和機は図1形状図に示す様に、据付ける場所により幾つかの形状があるが基本的機材構造部は同じで、内部配置とケーシングの形の違いのみであるので、床置き型について図２その構造図に基き示す。
空気調和機の運転時、循環する空気は、送風ファン９にて吸込みグリル５からプレフィルタ６を通り熱交換器3と接触通過し、熱交換した冷又は暖の空気となって吹出しグリル1に送り出される。冷房運転時には熱交換器3の表面は結露水が発生しドレンパン4に滴下しドレン排水管11を経てケーシング2-1外部に排出する、以上の循環を繰り返すので、塵，埃、空気中の細菌類が機内の機材に蓄積する。そこで実施内容は、光触媒である二酸化チタン(Tio2)を、空気調和機内の空気と接触する機材、吹き出しグリル１、吸込みグリル５、熱交換器３に、また銀系酸化チタンを、ドレンパン4、送風ファン９、ドレンパン4、から上部のケーシング内面2-2に薄膜状にコーティングを施す、吸込みグリル5位置より内側に紫外線ランプ8-1を配設した光触媒フィルタ7を設け、熱交換器3に照射可能な位置に紫外線ランプ8-2を配設する。光触媒コーティングが空気や水などの流体物と接触することにより、空気や水の有機酸化物を分解し微生物や細菌の繁殖を抑制するなどの浄化を行うことは実証されている。
【００１０】
この実施形態によれば、空気調和機内の機材類に光触媒を薄膜状にコーティングする工程は増えるが、新たに施す機材部品は光触媒フィルタ7と紫外線ランプ8-1、8-2であり、従来設置の空気清浄装置などの機材部品類はごく少なくなり、簡素な構造によって清浄化の目的が果たせることになり、空気調和機の熱交換効率の劣化は抑えられ、アフターメンテナンスの費用も軽減される。
【符号の説明】
【００１１】
１吹出しグリル
2-1ケーシング
2-2ケーシング内面
3熱交換器
4ドレンパン
5吸込みグリル
6プレフィルタ
7光触媒フィルタ
8-1 紫外線ランプ
8-2 紫外線ランプ
9送風ファン
10仕切り板
11ドレン排水管
【図１】
2011153728.tif 000003
【図２】
2011153728.tif 000004
【図３】
2011153728.tif 000005
(57)【要約】【課題】外気温度が室内温度より下がると室内の湿度の状況により外気に接する窓ガラスやドア周りの室内側には結露が発生する、特に冬場、密閉度の高い室内、料理をする室内や北側に面した窓や壁では顕著であり、カビなどの発生原因でもある。自然対流型の床置き型ヒータがあるが長時間を費やす、また、引き戸窓の床に置いては足元や幼児が触る危険性を伴う。【解決手段】電熱ヒータとファンを一体化したドライヤー装置と伸縮ノズルダクトを組み合わせ通風することにより強制対流が生じ、結露防止に即効的効果が得られ使用電気料は節約されコスト削減となる、また取り付アタッチメントにて両側の壁や窓の上部にも設置が容易に出来て、安全性も向上する。【選択図】図１
2011153727.tif 000002
【特許請求の範囲】
【請求項１】
電熱ヒータと直流ファンとタイマーを内蔵したドライヤー装置と伸縮可能なノズルダクトを接合させることを特徴とするドライヤー装置。
【請求項２】
請求項1のノズルダクトはドライヤー装置と、ワンタッチ押込み接合方式とし２、３段の伸縮が可能で通風用のスリットが鉛直に設けられ最終末端をカバーしたことを特徴とするノズルダクト。
【発明の詳細な説明】
【技術分野】
【０００１】
この発明は、窓の結露防止に関する。
【背景技術】
【０００２】
寒い季節、冬季の住居におけるドラフトにより生じておこる窓の結露防止対策には、真空二重ガラス窓やヒータ入りガラス窓などがあるが、この改善策として別途設置型のヒータ装置が用いられており、その例を先行技術文献、特許文献1と特許文献2とに示す。
【先行技術文献】
【特許文献】
【０００３】
【特許文献１】特開２００5−172310号公報
【特許文献２】特開平11−87026号公報
【発明の概要】
【発明が解決しようとする課題】
【０００４】
しかしながら、以上の技術によれば、長方立方体のケーシングにヒータ熱源を収め発熱させたものを窓際に置く方法で、ヒータ熱を窓表面に伝えるのは室内空気の自然対流であり、結露を防止するには長時間を要しヒータ熱源の電気代も同様に費やすことになる、また設置場所は窓際の下に限られるので、足に当たったり幼児が触れたり、危険性を伴う。
そこで、この発明は、電熱ヒータとファンを組み合わせノズルダクトを使用してヒータ熱を通風させる方式をとり、窓に温風を強制対流させることにより、小さなヒータ熱源の容量で、比較的短時間で結露防止が可能となる、また設置箇所は窓際の下部以外も選べるヒータ装置を提供することを課題とする。
【課題を解決するための手段】
【０００５】
以上の課題を解決するために、第一発明は、ヒータ熱源とファン容量を極小さく筒形状ケースに収め、微かな温風を出すことを特徴とするドライヤー装置である。また第二発明は、ドライヤー装置本体の吹出し口に長手筒状のノズルダクトをワンタッチにて取付け可能とし、そのダクト径は円形鞘筒形状又は三角形鞘筒形状にてスリットを設け、そのスリットから鉛直に通風出来る構造とし、二重又は三重の鞘筒形状になり内側がスライドしダクト全体の長さを調節することを特徴とするノズルダクトである。第三の発明は、ドライヤー装置本体には窓の結露状況に応じて任意に使用可能なタイマー機能を装備する。第四の発明は、ドライヤー装置本体とノズルダクトの取り付け用アタッチメントを付属し床置き以外も設置可能とする。
【発明の効果】
【０００６】
第一発明、第二発明、によれば、ドライヤー装置本体のヒータ熱がファンによりノズルダクトのスリットを通して窓面に強制対流するので熱伝達効果が進み、ヒータ熱源も少なく済むことから省エネに貢献する、また第三発明によれば、窓の結露状況に応じてタイマー機能を任意に設定することにより効率的な利用効果が得られる、更には第四発明により、設置の場所も窓面の上下、左右側も選べるので床置に限定されなく安全性も高まる。
【図面の簡単な説明】
【０００７】
【図１】この発明一実施形態を示す斜視図である。
【図２】この発明の床設置状況の斜形図と側面図である。
【図３】この発明の縦置き設置状況斜形図である。
【図４】この発明の天井止め、天井吊り設置側面図である
【発明を実施するための形態】
【０００８】
この発明の一実施形態を、図１に示す。
ドライヤー装置本体１は耐熱性樹脂製であり、ドライヤー装置本体１の内部には直流ファン3と電熱ヒータ4が設ける、電熱ヒータ4の容量は50W以下にして過熱防止サーモを備える、直流ファン3の風速は0.1m/min以上とし、またその外面には直流ファン3及び電熱ヒータ4の電源入り・切り用とタイマーを仕組む操作スイッチ2を配置する、吸込み側には吸込みグリル5、吹き出し側にはダクトアタッチメント6を設ける。ノズルダクトA7とノズルダクトB8は耐熱性樹脂製とし、ノズルダクトA7は片方末端がダクトアタッチメント6とワンタッチ押込み接合式とし、ノズルダクトA7とノズルダクトB8は共に鉛直にスリットを設ける、ノズルダクトB8はノズルダクトA7内側に収まりスライド出し入れ可能とし、先端はダクトカバー9にて封じる、ノズルダクトB8をスライド出し入れすることにより窓の幅や高さに適応した使い勝手が可能となり、別途3段スライド式も用意することとする。付属品として本体1とノズルダクトを取付ける固定用アタッチメント10を設ける。
【０００９】
「実施形態の効果」
この実施形態によれば、ドライヤー装置の通風によりヒータ熱源はノズルダクトから温風となって強制対流するので、確実に窓に触れ即効的な結露防止効果が得られヒータ熱源も少量で済む、更には部屋の環境状況に応じてタイマーによる使用調整ができて効率的な利用効果が得られる、また直流ファンの電気容量は5W以下の僅かであり、自然対流と比較してヒータ熱源による電気代は大幅に節約出来る省コスト装置となる。
【符号の説明】
【００１０】
１  ドライヤー装置本体
２  操作スイッチ
３  直流ファン
４  電熱ヒータ
５  吸込みグリル
６  ダクトアタッチメント
７  ノズルダクトA
８  ノズルダクトB
９  ダクトスリット
１０  ダクトエンドカバー
１１  固定用アタッチメント
【図１】
2011153727.tif 000003
【図２】
2011153727.tif 000004
【図３】
2011153727.tif 000005
【図４】
2011153727.tif 000006
(57)【要約】【課題】フード内への雨水侵入を防止でき、スリムな空調用吸気フードを得る。【解決手段】  空調用の吸気口１を被う外周壁部３と、複数の空気入口２と、を有し、これらの空気入口２のうちの第１の空気入口２ａを外周壁部３下端に配設する。第１空気入口１ａ以外の第２の空気入口２ｂを、第１空気入口２ａより上方の外周壁部３に配設する。第２空気入口２ｂの下端縁から外周壁部３の内側かつ上方に傾斜する仕切壁４を、外周壁部３に設ける。【選択図】図１
2011153798.tif 000002
【特許請求の範囲】
【請求項１】
空調用の吸気口（１）を被う外周壁部（３）と、複数の空気入口（２）と、を有し、これらの空気入口（２）のうちの第１の空気入口（２ａ）を前記外周壁部（３）下端に配設し、前記第１空気入口（１ａ）以外の第２の空気入口（２ｂ）を、前記第１空気入口（２ａ）より上方の前記外周壁部（３）に配設し、前記第２空気入口（２ｂ）の下端縁から前記外周壁部（３）の内側かつ上方に傾斜する仕切壁（４）を、前記外周壁部（３）に設けたことを特徴とする空調用吸気フード。
【請求項２】
外周壁部（３）の第２空気入口（２ｂ）の周縁部に雨水侵入を防止する樋部（５）を、設けた請求項１記載の空調用吸気フード。
【発明の詳細な説明】
【技術分野】
【０００１】
本発明は空調用吸気フードに関するものである。
【背景技術】
【０００２】
屋外設置の空調機器で吸気口から外気を取入れる場合、内部へ雨水が侵入しないようにガラリを設けているが、例えば大風量の空調機の場合など、開口部での吸込み風速が速くなって、空気と共に雨水も吸込んでしまう場合がある。
【０００３】
【特許文献１】特開２００４−２８６３００号公報
【発明の開示】
【発明が解決しようとする課題】
【０００４】
また、このような空調機に、特許文献１に示すような下端のみに空気入口があるフードを設けた場合、風量を確保しつつ吸込み風速を遅くするためには、空気入口を大きくしなければならず、フードが大型化する問題があった。
【課題を解決するための手段】
【０００５】
本発明は上記課題を解決するため、空調用の吸気口を被う外周壁部と、複数の空気入口と、を有し、これらの空気入口のうちの第１の空気入口を前記外周壁部下端に配設し、前記第１空気入口以外の第２の空気入口を、前記第１空気入口より上方の前記外周壁部に配設し、前記第２空気入口の下端縁から前記外周壁部の内側かつ上方に傾斜する仕切壁を、前記外周壁部に設けたことを最も主要な特徴とする。
【発明の効果】
【０００６】
請求項１の発明によれば、外周壁部下端と、それよりも上の外周壁部に空気入口を分散させてあるので、同吸気風量で下端のみに空気入口を配置した場合と比べて、フードのスリム化を計れると共に、ガラリと比べて空気入口の開口面積を大きくとれるので風速を落として雨水の吸込みを防止でき、しかも仕切壁で雨水のフード内への浸入を確実に防ぐことができる。
請求項２の発明によれば、樋部で雨水のフード内への浸入を一層確実に防ぐことができる。
【実施例】
【０００７】
図１と図２は、本発明の空調用吸気フードの一実施例を示しており、この吸気フードは、空調用の吸気口１を被う外周壁部３と、複数の空気入口２…と、を有している。これらの空気入口２…のうちの第１の空気入口２ａを外周壁部３下端に配設する。第１空気入口２ａ以外の第２の空気入口２ｂは、吸気口１よりも下方であって第１空気入口２ａより上方の外周壁部３に配設する。図例では、外周壁部３は少なくとも上、両横、前の４面を有する箱状で、空気入口２は矩形状となっている。
【０００８】
外周壁部３には、第２空気入口２ｂの下端縁から外周壁部３の内側かつ上方に傾斜する仕切壁４を、設け、外周壁部３の第２空気入口２ｂの周縁部に雨水侵入を防止する樋部５を、設ける。仕切壁４は、第２空気入口２ｂの下端縁全域にわたって隙間なく設ける。図例では、樋部５は、第２空気入口２ｂの周縁部の上端縁と側端縁に設けているが位置や構造の変更は自由である。また、第１空気入口２ａと、第２空気入口２ｂの上端縁から仕切壁４の上端縁にかけて、それぞれに保護金網６を設ける。
【０００９】
外気などの空気は、白抜き矢印で図示するように、第１空気入口２ａと第２空気入口２ｂとから取入れられてフード内で混合し、吸気口１に流入する。雨水は外周壁部３の外面を流れて、樋部５により第２空気入口２ｂへの侵入が阻止され、仮に侵入しても仕切壁４の傾斜によりフード外へ流れ落ちて、外周壁部３の下端より排水される。この第１空気入口２ａと第２空気入口２ｂは開口面積が大きくて吸込み風速が遅いので、第１空気入口２ａと第２空気入口２ｂの周縁に水滴が溜まってもフード内に吸込まれず確実に滴下することとなる。
【００１０】
図示省略するが、第２空気入口２ｂを複数設け、第２空気入口２ｂ毎に仕切壁４及び樋部５を設けたり、それらの位置を変更するも自由で、外周壁部３の形状、構造の変更も自由である。また、吸気口１は、屋外設置の空調機やダクトなど空調機器７に設けられる各種のものが該当し、本発明を適用可能である。
【図面の簡単な説明】
【００１１】
【図１】本発明の空調用吸気フードの斜視図である。
【図２】同上の側面断面図である。
【符号の説明】
【００１２】
１    吸気口
２    空気入口
３    外周壁部
４    仕切壁
５    樋部
【図１】
2011153798.tif 000003
【図２】
2011153798.tif 000004